【手続補正書】
【提出日】平成22年10月5日(2010.10.5)
【手続補正１】
【補正対象書類名】明細書
【補正対象項目名】特許請求の範囲
【補正方法】変更
【補正の内容】
【特許請求の範囲】
【請求項１】  記録装置が有するモータ手段によって駆動される移動媒体であって、一体化され移動する補助部材手段を有する移動媒体を有し、
前記補助部材手段は、移動方向に沿って、予め設定された微少距離量を単位とした間隔にて構成される微少距離検出用パターン手段を有し、
更に、前記微少距離検出用パターン手段の任意の近傍に配置され、前記補助部材手段の移動に伴い検出される前記微少距離量毎の変化具合を電気信号に変換して、検出パルス信号を発生するセンサ検出手段と、
前記センサ検出手段が発する検出パルス信号について、その周期量を所定時間量と比較判定する、或いは記録装置が有する特有の電気制御信号の周期位相と比較判定する微少距離移動速度判定手段と、
前記比較判定の結果に基づき、予め設定される前記モータ手段の回転速度値を補正するモータ回転速度補正手段と、を有し、
前記モータ回転速度補正手段により、前記移動媒体の移動速度を微少距離量毎に設定移動速度値に収束補正させる前記モータ手段のモータ回転速度制御装置において、
前記微少距離検出用パターン手段は、前記微少距離量の変化具合を検出できるパターン形成部と、前記微少距離量の変化具合を検出できないパターン途切れ部とで構成され、
更に、前記センサ検出手段が発する検出パルス信号の周期量を判定することで、前記センサ検出手段の取付け位置における、前記パターン途切れ部の通過タイミングを認識する途切れ位置認識手段を有し、
前記途切れ位置認識手段による前記パターン途切れ部が前記センサ検出手段を通過しているとの認識に応じて、前記モータ回転速度補正手段による前記モータ手段の回転速度補正を中断させるために、前記微少距離移動速度判定手段の判定結果内容を補正実行しない状態指示に設定し直す補正中断手段を有し、
前記補助部材手段は、前記移動媒体の移動運動に対して惰力を与える所定の重量を有し、前記移動媒体の移動速度を微少距離量毎の収束補正が実行されない前記パターン途切れ部によるモータ回転速度補正の補正中断中の影響を抑える速度偏差抑制手段を兼ね備えることを特徴とするモータ回転速度制御装置。
【請求項２】  前記途切れ位置認識手段は、別に設けた第２のセンサ検出手段を有し、前記センサ検出手段が取付けてある位置に於いての前記パターン途切れ部範囲の通過が検出できるように構成されたものであり、前記パターン途切れ部の通過中を前記第２のセンサ検出手段で認識すると、前記微少距離移動速度判定手段の動作実行を停止させるリセット信号を発生させて、モータ回転速度補正実行を中断指示する補正中断手段を有することを特徴とする請求項１に記載のモータ回転速度制御装置。
【請求項３】  前記記録装置とは電子写真装置であり、前記移動媒体とは電子写真装置に於ける感光体ドラム又は感光体ベルトであり、前記センサ検出手段は磁気センサであり、画像１ライン距離量の整数倍に相当する前記微少距離量で着磁された磁気パターンにて前記微少距離検出用パターン手段が構成されることを特徴とする請求項１に記載のモータ回転速度制御装置。
【請求項４】  前記モータ手段のモータ回転速度補正手段は、前記記録装置である電子写真装置が有するモータ手段の回転速度制御を行う為のものであり、前記移動媒体に形成された画像を一時的に記録保持する転写媒体の移動速度制御、或いは前記記録装置が出力する記録材等の搬送のための移動速度制御を実行することを特徴とする請求項１に記載のモータ回転速度制御装置。
【手続補正２】
【補正対象書類名】明細書
【補正対象項目名】０００１
【補正方法】変更
【補正の内容】
【０００１】
【発明の属する技術分野】
本発明は、移動媒体の移動を実行するモータ手段の回転速度補正制御に関するものである。
【手続補正３】
【補正対象書類名】明細書
【補正対象項目名】０００４
【補正方法】変更
【補正の内容】
【０００４】
該感光体ドラム等の表面の全長は、該微少距離量の設定値の整数倍で構成されていないために、該微少距離検出用パターン手段は、センサ検出手段で該微少距離量の検出が可能なパターン形成部と検出が不可能なパターン途切れ部とで構成されてしまうのであった。そのことにより、該感光体ドラム等の回転移動が該パターン途切れ部を移動している時は、当然の如く、該微少移動距離量に対する移動速度の実測ができない為に該モータ手段の回転速度補正は中断され、場合によっては、中断中に速度偏差が発生し得るという欠点があった。そこで、該パターン途切れ部による該モータ手段の回転速度補正の中断での速度偏差を防ぐ為に、複数のセンサ検出手段を位相を異なえて配置して、該パターン途切れ部を通過していないセンサ検出手段を選択し、リレーすることで常に継続された中断の無いモータ回転速度補正制御を実行する手段が考案されたが、複数のセンサ検出手段を必要とする該手段では、ローコストを目指す装置に於いて、画像品位を低下させない為に決して安価でないセンサ検出手段を複数用いる事は、コストアップになってしまうという欠点もあった。
【手続補正４】
【補正対象書類名】明細書
【補正対象項目名】０００５
【補正方法】削除
【補正の内容】
【手続補正５】
【補正対象書類名】明細書
【補正対象項目名】０００６
【補正方法】変更
【補正の内容】
【０００６】
【課題を解決するための手段】
上記目的を達成するために、本出願に係る発明は、記録装置が有するモータ手段によって駆動される移動媒体であって、一体化され移動する補助部材手段を有する移動媒体を有し、前記補助部材手段は、移動方向に沿って、予め設定された微少距離量を単位とした間隔にて構成される微少距離検出用パターン手段を有し、更に、前記微少距離検出用パターン手段の任意の近傍に配置され、前記補助部材手段の移動に伴い検出される前記微少距離量毎の変化具合を電気信号に変換して、検出パルス信号を発生するセンサ検出手段と、前記センサ検出手段が発する検出パルス信号について、その周期量を所定時間量と比較判定する、或いは記録装置が有する特有の電気制御信号の周期位相と比較判定する微少距離移動速度判定手段と、前記比較判定の結果に基づき、予め設定される前記モータ手段の回転速度値を補正するモータ回転速度補正手段と、を有し、前記モータ回転速度補正手段により、前記移動媒体の移動速度を微少距離量毎に設定移動速度値に収束補正させる前記モータ手段のモータ回転速度制御装置において、前記微少距離検出用パターン手段は、前記微少距離量の変化具合を検出できるパターン形成部と、前記微少距離量の変化具合を検出できないパターン途切れ部とで構成され、更に、前記センサ検出手段が発する検出パルス信号の周期量を判定することで、前記センサ検出手段の取付け位置における、前記パターン途切れ部の通過タイミングを認識する途切れ位置認識手段を有し、前記途切れ位置認識手段による前記パターン途切れ部が前記センサ検出手段を通過しているとの認識に応じて、前記モータ回転速度補正手段による前記モータ手段の回転速度補正を中断させるために、前記微少距離移動速度判定手段の判定結果内容を補正実行しない状態指示に設定し直す補正中断手段を有し、前記補助部材手段は、前記移動媒体の移動運動に対して惰力を与える所定の重量を有し、前記移動媒体の移動速度を微少距離量毎の収束補正が実行されない前記パターン途切れ部によるモータ回転速度補正の補正中断中の影響を抑える速度偏差抑制手段を兼ね備えることを特徴とする。
【手続補正６】
【補正対象書類名】明細書
【補正対象項目名】０００７
【補正方法】削除
【補正の内容】
【手続補正７】
【補正対象書類名】明細書
【補正対象項目名】０００８
【補正方法】削除
【補正の内容】
【手続補正８】
【補正対象書類名】明細書
【補正対象項目名】０００９
【補正方法】削除
【補正の内容】
【手続補正９】
【補正対象書類名】明細書
【補正対象項目名】００１０
【補正方法】削除
【補正の内容】
【手続補正１０】
【補正対象書類名】明細書
【補正対象項目名】００１１
【補正方法】削除
【補正の内容】
【手続補正１１】
【補正対象書類名】明細書
【補正対象項目名】００１２
【補正方法】削除
【補正の内容】
【手続補正１２】
【補正対象書類名】明細書
【補正対象項目名】００４２
【補正方法】削除
【補正の内容】